(57)【要約】【課題】身元確認等の認証を行うために使用されるバーコードを付与する認証用バーコード付与方法を提供すること。【解決手段】本発明によれば、認証装置１００が、被認証者の発信者番号を含むバーコード要求信号を、被認証者の携帯電話２００から通信回線を通して受信するステップと、認証装置が、被認証者の発信者番号が顧客データベースに記録されているか否かを判定し、発信者番号が記録されていなかったときには、発信者番号が記録されていないことを示すメッセージを被認証者の携帯電話に通信回線を通して送信するステップと、認証装置が、発信者番号が記録されていたときに被認証者に固有のバーコードを生成するステップと、認証装置が、バーコードを被認証者の携帯電話に通信回線を通して送信すると共に、バーコードをバーコードデータベースに記憶するステップと、を備えているバーコード付与方法が提供される。【選択図】図１
2010225146.tif 000002
【特許請求の範囲】
【請求項１】
認証要求者の顧客である被認証者に付与されると共に記憶される前記被認証者に固有の認証用バーコードであって、前記被認証者が携帯電話に表示することによって前記認証要求者に提示され、前記提示された認証用バーコードが記憶されていたとき前記被認証者が認証される、携帯電話に表示される認証用バーコードを被認証者に付与するバーコード付与方法であって、
認証装置が、前記被認証者の発信者番号を含むバーコード要求信号を、被認証者の携帯電話から通信回線を通して受信するステップと、
前記認証装置が、前記被認証者の発信者番号が顧客データベースに記録されているか否かを判定し、前記被認証者の前記発信者番号が顧客データベースに記録されていなかったときには、前記被認証者が前記発信者番号が顧客データベースに記録されていないことを示すメッセージを前記被認証者の携帯電話に通信回線を通して送信するステップと、
前記認証装置が、前記被認証者の発信者番号が前記顧客データベースに記録されていたときに前記被認証者に固有のバーコードを生成するステップと、
前記認証装置が、該バーコードを前記被認証者の携帯電話に通信回線を通して送信すると共に、該バーコードをバーコードデータベースに記憶するステップと、を備えている、
バーコード付与方法。
【発明の詳細な説明】
【技術分野】
【０００１】
本発明は認証用バーコード付与方法に関し、より詳細には、認証に利用される認証用バーコードを付与する認証用バーコード付与方法に関する。
【背景技術】
【０００２】
個人の身元確認等の認証は、印鑑、付与されたパスワード、カードに設けられたエンボスまたは磁気テープ等を照合することによって行われていた。
【発明の概要】
【発明が解決しようとする課題】
【０００３】
これに対し、本発明は、従来とは全く異なった方式で個人の身元確認等の認証を行うために使用されるバーコードを付与する認証用バーコード付与方法を提供することを目的とする。
【課題を解決するための手段】
【０００４】
本発明によれば、
認証要求者の顧客である被認証者に付与されると共に記憶される前記被認証者に固有の認証用バーコードであって、前記被認証者が携帯電話に表示することによって前記認証要求者に提示され、前記提示された認証用バーコードが記憶されていたとき前記被認証者が認証される、携帯電話に表示される認証用バーコードを被認証者に付与するバーコード付与方法であって、
認証装置が、前記被認証者の発信者番号を含むバーコード要求信号を、被認証者の携帯電話から通信回線を通して受信するステップと、
前記認証装置が、前記被認証者の発信者番号が顧客データベースに記録されているか否かを判定し、前記被認証者の前記発信者番号が顧客データベースに記録されていなかったときには、前記被認証者が前記発信者番号が顧客データベースに記録されていないことを示すメッセージを前記被認証者の携帯電話に通信回線を通して送信するステップと、
前記認証装置が、前記被認証者の発信者番号が前記顧客データベースに記録されていたときに前記被認証者に固有のバーコードを生成するステップと、
前記認証装置が、該バーコードを前記被認証者の携帯電話に通信回線を通して送信すると共に、該バーコードをバーコードデータベースに記憶するステップと、を備えている、
バーコード付与方法が提供される。
【発明の効果】
【０００５】
以上のように、本発明によれば、従来とは全く異なった方式で個人の身元確認等の認証を行うことができる認証方法等が提供される。
【図面の簡単な説明】
【０００６】
【図１】本発明の実施形態である認証装置を備えている認証システムを示すブロック図である。
【図２】バーコードの表示例を示す図面である。
【図３】認証装置が被認証者にバーコードを付与する際の処理動作を示すフローチャートである。
【図４】認証装置がバーコードの判定を行って被認証者を認証する際の処理動作を示すフローチャートである。
【図５】本発明の他の実施形態で用いる表示部の図である。
【発明を実施するための形態】
【０００７】
次に、図面に沿って本発明の好ましい実施形態を詳細に説明する。
【０００８】
図１は、本発明の実施形態である認証装置１００を備えている認証システムを示すブロック図であり、図２は、バーコードの表示例を示す図面であり、図３は、この認証装置１００が識別標識となるバーコードを付与する際の処理動作を示すフローチャートであり、図４は、この認証装置１００がバーコードの判定を行って顧客の認証を行う際の処理動作を示すフローチャートである。
【０００９】
まず、図１に沿って、認証装置１００の構成を説明する。認証装置１００は、顧客管理用サーバであり、被認証者である顧客から要求に応じてこの顧客に認証用（身元確認用）バーコードを付与するバーコード付与手段１１０を備えている。バーコード付与手段１１０は、顧客データベース（ＤＢ）１１２と、バーコード生成手段１１４と、バーコード伝送手段１１６とを備えている。
【００１０】
顧客データベース（顧客ＤＢ）１１２には、登録済み顧客の氏名と、携帯電話番号とを含む顧客情報が収容されている。また、バーコード生成手段１１４は、バーコード送受信端末である顧客の携帯電話２００の発信装置（バーコード要求手段）２０２から電話回線（通信回線）を通してバーコード要求信号を受け、このバーコード要求信号に含まれる当該顧客の発信者番号、即ち、携帯電話番号に基づいて顧客データベース１１２を検索し、当該発信者番号を発見した場合にはバーコード、詳細には、バーコードに対応する信号（バーコード信号）を生成するように構成されている。このバーコードは、当該顧客が特定の店舗３００で使用するためのものであり、顧客および店舗に対して一意的に生成される。即ち、バーコードは、当該顧客が、特定の店舗でしか使用できない固有のバーコードとなる。
【００１１】
さらに、バーコード伝送手段１１６は、バーコード生成手段１１４が生成したバーコード、詳細には、バーコード信号を顧客およびバーコードデータベース１２２に伝送するように構成されている。この顧客へのバーコードの伝送は、通信回線を介して、顧客の携帯電話２００の受信装置（バーコード受信手段）２０４にバーコード、詳細には、バーコード信号を伝送することによって行われる。バーコード信号は、例えば、ＧＩＦ形式、ＪＰＥＧ形式に圧縮した画像フォーマットとして伝送されるのが好ましい。
【００１２】
この実施形態では、携帯電話２００は、伝送されたバーコード信号を記憶し、これに対応したバーコード４００を、その場であるいはその後の呼び出しに応じて、液晶表示画面などの表示部２０６に表示できるように構成されている（図２）。携帯電話の所有者である顧客は、この認証システムの加盟者（店舗等）で買い物等を行う際、付与されたバーコード４００を携帯電話の表示部２０６に表示させ、このバーコード４００と自らが所有する携帯電話の番号（発信者番号）との組み合わせを、身元を確認させる手段（ＩＤ）として使用する。尚、表示部２０６には、バーコード４００に加えて、登録の有効期限４０２や他のメッセージ４０４等を表示させるて利便性を向上させてもよい。
【００１３】
尚、バーコードデータベース１２２には、バーコード信号と共に、当該バーコードを付与された顧客の発信者番号（携帯電話番号）も伝送され、両者が組み合わせて（対応付けられて）収容されるように構成されている。
【００１４】
認証装置１００は、さらに、顧客が買い物等をした店舗から送られてきた顧客のバーコード、詳細には、バーコード信号等に基づいて、当該顧客に認証を付与する即ち顧客の身元確認を行うバーコード判定装置１２０を備えている。
【００１５】
バーコード判定装置１２０は、バーコードデータベース１２２と、バーコード照合手段１２４とを備えている。上述したように、バーコードデータベース１２２には、バーコード伝送手段１１６から伝送されたバーコード、詳細には、バーコード信号が、このバーコードが付与された顧客の発信者番号（携帯電話番号）と組み合わせて記憶されている。
【００１６】
また、バーコード照合手段１２４は、認証要求者である店舗３００のバーコード読取り装置３０２で読みとられバーコード確認手段３０４から送られてきたバーコード信号と携帯電話番号との組み合わせを、バーコードデータベース１２２に記憶されているバーコード信号とこのバーコードが付与された顧客の発信者番号（携帯電話番号）と組み合わせと照合して、店舗３００から送られてきたバーコード信号と携帯電話番号との組み合わせが、適正であるか否かを判定するように構成されている。
【００１７】
詳細には、店舗３００から通信回線を介して送られてきたバーコード信号と携帯電話番号との組み合わせと同一の組み合わせが、バーコードデータベース１２２中に存在しているときには、店舗３００から送られてきたバーコード信号と携帯電話番号との組み合わせが適正、即ち、当該店舗で買い物等をした顧客（バーコード使用者）は、顧客データベース１１２に登録された適正な使用者であると判定するように構成されている。そして、バーコード照合手段１２４は、店舗３００のバーコード確認手段３０４に、当該店舗で買い物等をした顧客（バーコード使用者）が、適正な使用者である旨の信号、又は、適正な使用者でない旨の信号を伝送するように構成されている。
【００１８】
次に、図３に沿って、認証装置１００が認証用のバーコードを付与する際の作動（認証付与方法）を説明する。図３において、「Ｓ」は、認証装置１００が実行する各処理のステップを示している。
【００１９】
まず、この認証装置１００による認証用のバーコードの付与を求める顧客が、認証装置１００に対して通信回線を介してバーコード要求信号を発する。この実施形態では、顧客が携帯電話２００から認証装置１００に対して、電話をかけることにより、バーコード要求信号が、認証装置１００に伝送されるように構成されている。顧客の携帯電話２００のバーコード要求手段（発信装置）２０２からのバーコード要求信号には、当該携帯電話２００の発信者番号（携帯電話番号）を示す信号が含まれているので、認証装置１００に設けられたバーコード付与手段１１０のバーコード生成手段１１４が、顧客からのバーコード要求信号を受信することにより、発信者番号を受信することになる（Ｓ１）。
【００２０】
次に、認証装置１００では、バーコード生成手段１１４が、受信した顧客の発信者番号が顧客データベース１１２内に存在しているか否かを判定する（Ｓ２）ことによって、バーコードの付与を求める顧客が会員登録済みの顧客であるか否かをチェックする。受信した顧客の発信者番号が顧客データベース１１２内に存在していない場合には、登録済み顧客ではないので、作動を終了する。このとき、登録済みでは無い旨の、または、登録を促すメッセージを顧客側に返送するように構成してもよい。
【００２１】
受信した顧客の発信者番号が顧客データベース１１２内に存在していた場合には、バーコード生成手段１１４が、当該顧客の特定の店舗３００用のバーコード信号を生成し、バーコード伝送手段１１６に出力する（Ｓ３）。バーコード伝送手段１１６は、バーコード信号を、通信回線を介して、顧客の携帯電話２００の受信装置（バーコード受信手段）２０４に伝送するとともに、バーコード判定手段１２０のバーコードデータベース１２２にも送る（Ｓ４）。このとき、バーコードデータベース１２２には、バーコード信号と共に、当該バーコードを発行された顧客の発信者番号（携帯電話番号）も伝送され、両者が組み合わせとして記録される（Ｓ４）。
【００２２】
この実施形態の認証システムでは、携帯電話２００は、伝送されたバーコード信号を記憶し、これに対応したバーコード４００を、その場であるいはその後の呼び出しに応じて、表示部２０６に表示できるように構成されているので、携帯電話２００の所有者である顧客は、この認証システムの加盟者（店舗３００等）で買い物等を行う際、受信した（付与された）バーコード４００を携帯電話の表示部２０６に表示させ、このバーコード４００と自らが所有する携帯電話２００の番号（発信者番号）とを組み合わせて、身元を確認させる手段（ＩＤ）として使用することになる。
【００２３】
次に、図４に沿って、認証装置１００が付与されたバーコードに基づいて認証を行う際の作動（認証方法）を説明する。図４において、「Ｓ」は、認証装置１００が実行する各処理のステップを示している。
【００２４】
この認証装置１００による認証を求める顧客は、この認証システムの加入店３００で買い物をする際、上述のようにして予め取得したバーコード４００を、自らの携帯電話２００の表示部２０６に表示させ（図３）、店舗３００側のバーコード読取装置３０２に読取らせてバーコード確認手段３０４に入力させる。さらに、顧客は、当該携帯電話２００の番号（発信者番号）を、バーコード確認手段３０４に、例えば、これに接続されたキーボードなど（図示せず）を介して、入力する。このようにして店舗３００側で入力されたバーコード４００に対応するバーコード信号と発信者番号との組み合わせが、認証装置１００に送られ、顧客の身元確認、即ち、認証に使用される。
【００２５】
認証装置１００のバーコード照合手段１２４は、店舗３００のバーコード読取り装置３０２で読みとられ、バーコード確認手段３０４から送られてきたバーコード、詳細には、バーコード信号と発信者番号との組み合わせを受信する（Ｓ１０）。このときもバーコード信号は、例えば、ＧＩＦ形式、ＪＰＥＧ形式に圧縮した画像フォーマットとして伝送されるのが好ましいが、他の方法で伝送されてもよい。
【００２６】
バーコード照合手段１２４は、バーコードデータベース１２２に記憶されているバーコード信号とこのバーコードが付与された顧客の発信者番号（携帯電話番号）と組み合わせを検索して、店舗３００から送られてきたバーコード信号と携帯電話番号との組み合わせが、バーコードデータベース１２２に存在しているか否かを判定する（Ｓ１２）。存在していない場合には、正当な使用ではないと判断し、当該顧客は認証されていない旨の信号を確認手段３０４に送信する（Ｓ１４）。又、存在している場合には、正当な使用である判断し、当該顧客が認証されている旨の認証信号をバーコード確認手段３０４に送信することによって、当該顧客の認証を行う（Ｓ１６）。
【００２７】
この認証システムは、例えば、買い物額に応じてキャッシュバック等を行う会員サービスのための顧客認証や、レンタルビデオ店の会員認証などの顧客管理に利用できるが、認証が必要とされるの他の種々の用途にも利用できる。
【００２８】
尚、本発明は上記実施形態に限定されるものではなく、特許請求の範囲に記載された事項の範囲に内で種々の変更、変形が可能である。例えば、上記認証システムでは、認証が行われる店舗３００が１つである場合を例に本発明を説明したが、このような店舗は複数であってもよい。この場合には、バーコード要求信号に、どの店舗で用いるバーコードを認証付与を要求するかを示す信号を含めるのがよい。また、バーコード要求信号に応答して、例えば図５に示すような、このシステムで認証を受けることができる店舗の選択肢Ａ１０６、Ｂ１０８、Ｃ４１０、Ｄ４１２、Ｅ４１４を表示する画面を、顧客の携帯電話２００の表示部２０６に送り、顧客に選択をさせるようにしてもよい。
【００２９】
また、上記実施形態では、顧客データベース１１２は、登録済みの顧客名簿であったが、認証システムの利用形態によっては、電話会社の全ての加入者を含むもの、即ち、電話帳をデータベース化したものであってもよい。
【００３０】
また、上記実施形態では、バーコード送受信端末が単一の携帯電話２００である場合を例にしたが、バーコード装置受信端末が、電話回線に接続されたパソコン等であってもよい。この場合、発信者信号は、パソコンが接続された固定電話の電話番号となる。さらに、この態様では、認証装置からダウンロードしたバーコード信号を、一旦、パソコンで受信し、バーコードを表示可能な表示部を備えた携帯電話または他の携帯端末に入力することになる。また、この態様においては、パソコンからのバーコード要求信号に、顧客が所有する携帯電話の電話番号を示す信号を含ませることにより、バーコード信号を顧客の所有する携帯電話で直接ダウンロードさせ、パソコンをバーコード要求手段として、携帯電話をバーコード受信手段として使用することもできる。
【００３１】
また、上記実施形態は、バーコードと発信者番号（携帯電話番号）の組み合わせで本人確認を行い認証を行うように構成されているが、バーコード生成手段が生成したバーコード（バーコード信号）のみに基づいて、または、バーコード信号とパスワード等の他の暗号或いは信号とを組み合わせて、確認、認証を行うように構成してもよい。
【００３２】
さらに、顧客データベース１１２に、顧客の信用情報も記憶させる等などしておき、バーコード照合手段が、店舗からの確認要請に応答して、バーコード等の照合を行う際にこの信用情報も併せて確認して店舗側に通知するように構成してもよい。このように構成すると、本発明の認証システムに、例えば、クレジットカードのような機能を持たせることもできる。
【００３３】
さらに、上記実施形態では、店舗３００が顧客に提示されたバーコードを認証装置１００側に照会しているが、店舗３００側に、バーコードデータベースと連動するデータベースを設けておく構成としてもよい。このような構成により、店舗３００は、バーコードの照会を行うたびに、認証装置１００との間で信号の送受信を行う必要がなく、自店舗内での照会が可能となる。
【００３４】
更に、上記実施形態は、認証を求める顧客が携帯電話にバーコード表示し、これを店舗で読取らせるものであるが、認証を求める顧客（被認証者）が通信回線を使って、付与されたバーコード（バーコード信号）等を店舗（認証要求者）側に送り、店舗がバーコードとしてこれを読み取って、認証装置に対して照会を行う構成としてもよい。このような構成は、店舗が、銀行、クレジット会社等であり、これら銀行等で顧客が決済や発注を行う場合に対応できる。
【００３５】
又、バーコード要求信号、および、バーコード信号等は、インターネットなどのネットワークを介して、伝送されるものであってもよい。
【符号の説明】
【００３６】
１００：認証装置
１１０：バーコード付与手段
１１２：顧客データベース（ＤＢ）
１１４：バーコード生成手段
１１６：バーコード伝送手段
１２０：バーコード判定装置
１２２：バーコードデータベース
１２４：バーコード照合手段
２００：バーコード送受信端末（携帯電話機）
【図１】
2010225146.tif 000003
【図２】
2010225146.tif 000004
【図３】
2010225146.tif 000005
【図４】
2010225146.tif 000006
【図５】
2010225146.tif 000007